(57)【要約】本発明は、孵化してから生涯の第一段階の間、人工気候室において孵化した雛に餌を与える方法に関し、その方法は、ａ）人工気候室内の温度と湿度を制御することと、ｂ）人工気候室を通る空気の流れを発生させるために換気手段を動作させることと、ｃ）人工気候室において孵化したばかりの雛に生き餌を供給することと、を備える。【選択図】図２
2019502396.tif 000002
【特許請求の範囲】
【請求項１】
孵化してから生涯の第一段階の間、人工気候室（１）において孵化した雛（３）に餌を与える方法であって、方法は、
ａ）前記人工気候室内の温度と湿度を制御するステップと、
ｂ）前記人工気候室を通る空気の流れを発生させるために換気手段（５）を動作させるステップと、
ｃ）前記人工気候室において孵化したばかりの前記雛に生き餌（７）を供給するステップと
を備える方法。
【請求項２】
前記生き餌は、昆虫及び／又は蠕虫を含む、請求項１に記載の方法。
【請求項３】
前記生き餌は、ミミズ、幼虫、蚕、ミールワーム、及びそれらの組合せというグループのうちの１つ又は複数を含む、請求項２に記載の方法。
【請求項４】
前記生涯の第一段階は、生涯の最初の１〜４日間を備え、前記方法は、
ｄ）前記人工気候室において孵化したばかりの雛に生き餌を供給する前に、生涯の最初の１〜４日間以内に孵化したばかりの前記雛を前記人工気候室に移動させるステップ、
を更に備える、請求項１−３のいずれか１項に記載の方法。
【請求項５】
前記人工気候室は可搬式であり、前記方法は、
ｅ）前記人工気候室の運搬中にステップｃ）を実行するステップ、
を更に備える、請求項１−４のいずれか１項に記載の方法。
【請求項６】
前記方法は、
ｆ）孵化したばかりの雛を前記可搬式の人工気候室に移動させるステップ、
を備える、請求項５に記載の方法。
【請求項７】
前記方法は、ステップｃ）を実行する前に、
ｇ）前記人工気候室内に卵を配置するステップと、
ｈ）孵化が発生するまで前記人工気候室において前記卵をインキュベーションするステップと
を更に備える、請求項１−６のいずれか１項に記載の方法。
【請求項８】
前記人工気候室は、人工気候室コンパートメント（４）を備え、少なくともステップｃ）は、前記人工気候室コンパートメントにおいて実行される、請求項１−７のいずれか１項に記載の方法。
【請求項９】
前記人工気候室は、４０羽から１００羽の幼雛からなるグループのような幼雛のグループを収容するためのクレート（２）を備え、ステップｃ）は、前記クレートにおいて前記孵化したばかりの雛に前記生き餌を供給することを備える、請求項１−８のいずれか１項に記載の方法。
【請求項１０】
前記クレートは、人工気候室コンパートメントに配置される、請求項９に記載の方法。
【請求項１１】
前記人工気候室は、１つ又は複数のトラフ（６）を備え、ステップｃ）は、前記１つ又は複数のトラフ中に前記生き餌が含まれていることを備える、請求項１−１０のいずれか１項に記載の方法。
【請求項１２】
前記１つ又は複数のトラフは、前記１つ又は複数のトラフに含まれている前記生き餌を維持するための手段（２３）を備える、請求項１１に記載の方法。
【請求項１３】
前記１つ又は複数のトラフに含まれている前記生き餌を維持するための前記手段は、格子（２３）、傾斜部（２９，３０，３２，３４）を有するエッジ、トラフの内部から見て凹部（３６，３７）、前記生き餌を囲む食用エンクロージャ（３８）、及び生き餌が前記トラフから抜け出るのを阻止する表面構造を有するトラフ内部表面（４１）の中から選択された１つ又は複数を備える、請求項１２に記載の方法。
【請求項１４】
前記クレートには、前記人工気候室を通る前記空気の流れが前記クレートを通過することを可能にするために、前記クレートの２つの両側に換気孔（９）が設けられている、請求項９−１３のいずれか１項に記載の方法。
【請求項１５】
複数の前記クレートのスタック（１３）を設けるステップｉ）を更に備える、請求項９−１４のいずれか１項に記載の方法。
【請求項１６】
前記人工気候室は、クレート、具体的には複数のクレートの全て、に結合された給餌管路を備え、ステップｃ）は、前記給餌管路を通した生き餌の搬送を備える、請求項９−１５のいずれか１項に記載の方法。
【請求項１７】
前記少なくとも１つの気候室コンパートメント又は前記人工気候室の少なくとも片側は、熱交換器（３）によって区切られている、請求項８−１６のいずれか１項に記載の方法。
【請求項１８】
前記人工気候室は、前記熱交換器によって相互に離隔されている前記気候室コンパートメント（４）のうちの少なくとも２つを備える、請求項１７に記載の方法。
【請求項１９】
孵化したばかりの雛を飼育するための人工気候室であって、前記人工気候室は、１つ又は複数のトラフに含まれている生き餌を維持するための手段を有する前記１つ又は複数のトラフを備える、人工気候室。
【請求項２０】
前記１つ又は複数のトラフに含まれている前記生き餌を維持するための前記手段は、格子（２３）、傾斜部（２９，３０，３２，３４）を有するエッジ、トラフの内部から見て凹部（３６，３７）、前記生き餌を囲む食用エンクロージャ（３８）、及び生き餌が前記トラフから抜け出るのを阻止する表面構造を有するトラフ内部表面（４１）の中から選択された１つ又は複数を備える、請求項１９に記載の人工気候室。
【請求項２１】
前記人工気候室には、雛が含まれており、前記少なくとも１つ又は複数のトラフには、生き餌が含まれている、請求項１９又は２０に記載の人工気候室。
【請求項２２】
前記人工気候室は、幼雛のグループを収容するためのクレートを備え、前記少なくとも１つ又は複数のトラフは、前記クレート内に配置されており、前記クレートの一部を形成する、請求項１９−２１のいずれか１項に記載の人工気候室。
【発明の詳細な説明】
【技術分野】
【０００１】
本発明は、孵化してから生涯の第一段階の間、人工気候室において孵化した雛に餌を与える方法に関し、この方法は以下を含む；
ａ）人工気候室内の温度と湿度を制御することと、
ｂ）人工気候室を通る空気の流れを発生させるために換気手段を動作させること。
そのような人工気候室は、国際出願第２０１１／１３３０２２ Ａ１から知られている。
【発明の概要】
【０００２】
本発明は、人工気候室のような産業環境において幼雛に対してより自然な始まりを与えることを目的としている。
本発明の別の目的は、既知の方法に関連する問題が少なくとも一部解消されるという点で、人工気候室において孵化した雛に餌を与える方法を改善することである。
本発明の更に別の目的は、人工気候室において孵化した雛に餌を与える代替方法を提供することである。
本発明の第１の態様によれば、これは、孵化してから生涯の第一段階の間、人工気候室において孵化した雛に餌を与える方法により実現され、この方法は以下を含む；
ａ）人工気候室内の温度と湿度を制御することと、
ｂ）人工気候室を通る空気の流れを発生させるために換気手段を動作させることと、
ｃ）人工気候室において孵化したばかりの雛に生き餌を供給することと。
【０００３】
人工気候室において孵化したばかりの雛に生き餌を供給することは、幼雛の自然な行動を促す。これは、幼雛の品質向上をもたらすであろう。この品質向上は、雛の生涯の残りの間、良い影響を与えるであろう。
本発明のある実施形態では、生き餌は、昆虫及び／又は蠕虫を含む。具体的には、生き餌は、ミミズ、幼虫、蚕、ミールワーム、及びそれらの組合せというグループのうちの１つ又は複数を含む。考えられる種類の昆虫は、アメリカミズアブの幼虫、イエバエの幼虫、蚕、及びチャイロコメノゴミムシダマシである。
換言すると、生き餌は、生きている昆虫及び／又は生きている蠕虫を含む。少なくとも、これらの生きている昆虫及び生きている蠕虫は、孵化したばかりの鶏が認知できる程度に自ら動くため、これは鶏にとって魅力的である。生きている昆虫及び生きている蠕虫は、自ら動く生き餌の例である。一般に、自ら動く生き餌は、幼雛の自然な行動を促す。したがって、餌の摂取が改善される。
【０００４】
本発明のある実施形態では、生涯の第一段階は、生涯の最初の１〜４日間を含み、方法は以下を備える；
ｄ）人工気候室において孵化したばかりの雛に生き餌を供給する前に生涯の最初の１〜４日間以内に孵化したばかりの雛を人工気候室に移動させること。
【０００５】
本発明のある実施形態では、人工気候室は可搬式であり、方法は以下を備える；
ｅ）人工気候室の搬送中にステップｃ）を実行すること。
搬送中に、人工気候室において孵化したばかりの雛に生き餌を供給することは、雛の搬送中ですらこれらの雛の品質を改善する。孵化場と飼育場との間の搬送ステップは、通常、動物の健康状態に悪い影響を与える。
【０００６】
本発明のある実施形態では、方法は以下を備える；
ｆ）孵化したばかりの雛を可搬式の人工気候室に移動させること。
【０００７】
本発明のある実施形態では、方法は、ステップｃ）を実行する前に、以下を備える；
ｇ）人工気候室内に卵を配置することと、
ｈ）孵化が発生するまで人工気候室において卵をインキュベーションすること。
これは、卵及び／又は孵化したばかりの雛の取扱いが最小限まで減るため、雛の品質にとって更に一層有益である。
【０００８】
本発明のある実施形態では、人工気候室は、人工気候室コンパートメントを備え、少なくともステップｃ）は、この人工気候室コンパートメントにおいて実行される。人工気候室を複数のコンパートメントへと分けることは、この方法のプロセスステップを産業化及び標準化するのに役立つ。
I本発明のある実施形態では、人工気候室は、４０〜１００羽の幼雛からなるグループのような幼雛のグループを収容するためのクレートを備え、ここにおいて、ステップｃ）は、このクレートにおいて孵化したばかりの雛に生き餌を供給することを備え、クレートは、好ましくは、人工気候室コンパートメントに配置される。これは、方法のプロセスステップを工業化及び標準化するのにより一層役立つ。加えて、これは、個々の卵及び／又は孵化したばかりの雛の取扱いを減らす。
【０００９】
本発明のある実施形態では、人工気候室は、１つ又は複数のトラフを備え、ステップｃ）は、１つ又は複数のトラフ中に生き餌が含まれていることを備える。
【００１０】
本発明のある実施形態では、１つ又は複数のトラフは、１つ又は複数のトラフに含まれている生き餌を維持するための手段を備える。これは、人工気候室全体への生き餌の望ましくない拡散を防ぐ。これら手段は、生き餌がトラフから抜け出たいと望み得るため、望ましい。
明らかとなるように、生き餌は自ら動く生き餌であるため、生き餌がトラフから抜け出ることがあり得る。
【００１１】
本発明のある実施形態では、１つ又は複数のトラフに含まれている生き餌を維持するための手段は、格子、傾斜部を有するエッジ、トラフの内部から見て凹部、生き餌を囲む食用エンクロージャ（edible enclosure）、及び生き餌がトラフから抜け出るのを阻止する表面構造を有するトラフ内部表面の中から選択された１つ又は複数を備える。傾斜部は、トラフから生き餌が抜け出るのを妨げる。トラフから生き餌が抜け出るのを阻止する表面構造は、生き餌の種類によって異なり得る。
【００１２】
本発明のある実施形態では、クレートには、人工気候室を通る空気の流れがクレートを通過することを可能にするために、このクレートの２つの両側に換気孔が設けられている。
【００１３】
本発明のある実施形態では、方法は、ｉ）複数の上記クレートのスタックを設けることを更に備える。
【００１４】
本発明のある実施形態では、人工気候室は、クレート、具体的には複数のクレートの全て、に結合された給餌管路を備え、ステップｃ）は、この給餌管路を通した生き餌の搬送を備える。これは、人工気候室内の全ての雛への生き餌の供給を容易にする。
【００１５】
本発明のある実施形態では、少なくとも１つの気候室コンパートメント又は人工気候室の少なくとも片側は、熱交換器によって区切られている。具体的には、人工気候室は、熱交換器によって相互に離隔されている上記気候室コンパートメントのうちの少なくとも２つを備える。熱交換器は、この交換器と人工気候室を通る空気の流れとの間での熱の交換により、気候室コンパートメント内の温度を制御するのに役立つ。
【００１６】
本発明の更なる態様によれば、これは、孵化したばかりの雛を飼育するための人工気候室で実現され、人工気候室は、１つ又は複数のトラフに含まれている生き餌を維持するための手段を有する１つ又は複数のトラフを備える。これは、人工気候室全体への生き餌の望ましくない拡散の可能性を低下させる。
【００１７】
人工気候室のある実施形態では、１つ又は複数のトラフに含まれている生き餌を維持するための手段は、格子、傾斜部を有するエッジ、トラフの内部から見て凹部、生き餌を囲む食用エンクロージャ、及び生き餌がトラフから抜け出るのを阻止する表面構造を有するトラフ内部表面の中から選択された１つ又は複数を備える。
【００１８】
本発明のある実施形態では、人工気候室には、雛が含まれており、少なくとも１つ又は複数のトラフには、生き餌が含まれている。
【００１９】
本発明のある実施形態では、人工気候室は、幼雛のグループを収容するためのクレートを備え、少なくとも１つ又は複数のトラフが、クレート内に配置されており、クレートの一部を形成する。クレート内に、一部がクレートの輪郭内にあるトラフを含み得ることは明らかであろう。トラフは、クレートの一部であり、クレートの中からアクセス可能である。しかしながら、トラフは、人工気候室の一部であり、クレートの中からアクセス可能であるとも考えられる。
【００２０】
本発明は更に、本書において説明される及び／又は添付の図面において示される特徴付けられる特徴のうちの１つ又は複数を備えるデバイスに関する。
本発明は更に、本書において説明される及び／又は添付の図面において示される特徴付けられる特徴のうちの１つ又は複数を備える方法に関する。
本特許において説明される様々な態様は、追加の有益な利点を提供するために組み合わされ得る。
【００２１】
本発明は、最初の１日又は２日間又はその後数日の間、制御された環境において孵化させること及び孵化したばかりの鳥に餌を与えることに関する。工業的手法は、孵化したばかりの鳥に追加の食物を全く与えないことである。時折、餌が与えられ得るが、その餌は、自然な形で、孵化したばかりの鳥に魅力的として認知はされない可能性がある。
【００２２】
本発明によれば、孵化したばかりの鳥に、ミールワームのような生き餌が与えられる。この種類の餌により、鳥によって認知される環境はより自然となる。
【００２３】
本発明は、次において示される図面に関して更に解明されるであろう。
【図面の簡単な説明】
【００２４】
【図１】本発明の方法に係る、雛を孵化させるための人工気候室の透視図。
【図２】図１の人工気候室で使用するためのクレートの断面側面図。
【図３Ａ】図２に係るクレートのトラフの実施形態。
【図３Ｂ】図２に係るクレートのトラフの実施形態。
【図４】図１の人工気候室で使用するためのクレートのスタック。
【図５】可搬式の人工気候室の側面図。
【図６】クレートの別の実施形態のスタック。
【図７】図２−６のクレートで使用するためのトラフのある実施形態。
【図８】図２−６のクレートで使用するためのトラフの別の実施形態。
【図９】図２−６のクレートで使用するためのトラフの更に別の実施形態。
【図１０】図２−６のクレートで使用するためのトラフの更に別の実施形態。
【発明を実施するための形態】
【００２５】
図１は、本発明の方法に係る、雛を孵化させるための人工気候室１を透視図で示す。人工気候室１は、人工気候室１において孵化したばかりの雛に餌を与えることができるように、人工気候室内の温度と湿度を制御するように構成される。人工気候室１は、人工気候室１を通る空気の流れＡ，Ａｒを発生させるための換気手段５を備える。
人工気候室１は、循環する空気の流れを可能にするために人工気候室１の内部を囲む底壁と、頂壁（図示されない）と、前方の側壁及び後ろの側壁と、第１及び第２の端壁とを有する。人工気候室１は、人工気候室１を暖めるため又は冷やすための複数の熱交換器３を備える。人工気候室の温度は、空気の流れと熱交換器３との間での熱交換を通して制御される。熱交換器３は、空気の流れが熱交換器３を通過することを可能にするために通気性を有する。
【００２６】
ここで、人工気候室１は、人工気候室コンパートメント４へと細分化される。空気の流れＡは、換気手段５から流れ出て、全ての人工気候室コンパートメント４を通り、通廊又は通路を通って換気手段５へと戻る。そのような人工気候室コンパートメント４は、クレート２のスタック１３の寸法と一致するように構成される。そのようなスタック１３は通常、トロリ（図示されない）を用いて動かされる。
【００２７】
図２は、図１の人工気候室１で使用するためのクレート２の断面側面図を示す。クレート２は、４０羽から１００羽の幼雛から成るグループのような幼雛３のグループを収容するように構成される。クレート２は、積み重ね可能である。したがって、底面１１は、別のクレート２の上に設置されることができる。雛３は、フロア要素１０の上にのっている。クレート２は、トラフ６を備える。ここでは、クレート２は、２つのトラフ６を有する。２つのトラフは、クレート２の両側に配置されている。クレート２において孵化したばかりの雛３に生き餌７を供給するために、トラフ６には生き餌７が含まれている。生き餌は、昆虫及び／又は蠕虫、具体的には、ミミズ、幼虫、蚕、ミールワーム、及びそれらの組合せというグループのうちの１つ又は複数、を含み得る。
【００２８】
図３Ａ及び３Ｂは、各々、図２に係る、クレート２のトラフ６の実施形態を示す。図３Ｂのトラフ６は、仕切り要素８によって細分化される。仕切り要素８は、トラフを満たすための入口開口部３９と、この入口開口部とは別の出口開口部とが存在するようにトラフ６を分け、その出口開口部から雛は、餌を摂取することができる。
【００２９】
図４は、図１の人工気候室で使用するためのクレート２のスタック１３を示す。具体的には、スタック１３は、人工気候室コンパートメント４内に設置される。ここでは、スタック１３は、熱交換器３に隣接する。このケースでは、トラフ６は、熱交換器３が配置され、トラフ６は、クレート２の内部から雛３によってアクセス可能である。
【００３０】
図２−４に示されているクレート２は、孵化してから生涯の第一段階の間、人工気候室１において孵化した雛３に餌を与える方法において以下の手法で使用される。孵化した雛３は、クレート２の内部に入れられる。これら孵化したばかりの雛は、クレート２、具体的にはクレートのスタック１３、を人工気候室１内に設置することで、人工気候室１に移動させられる。これら孵化したばかりの雛は、生涯の最初の１〜４日間以内に、具体的には孵化してから可能な限り早く、人工気候室１に移動させられる。雛３には、人工気候室１において生き餌７が供給される。したがって、生き餌７は、トラフ６に入れられる。生き餌７は、例えば、ミールワームを含む。これらのトラフは、クレート２の一部であり得る、図２−３を参照、及び／又は、人工気候室１の一部であり得る、図４参照。
【００３１】
オプションとして、人工気候室は、可搬式である。図５は、トレーラ１４として設計された可搬式の人工気候室の側面図を示す。トレーラ１４は、コンパートメント及び熱交換器１７を通り抜ける空気の流れ１６を起こす（drive）ための換気手段１５を備える。これらのコンパートメント及び熱交換器１７は、概略的に示されている。
使用時、トレーラ１４は、このトレーラの内部にクレート２のスタックが詰め込まれたままで移動する。図２−４及び図６に示されるような両方の種類のクレート２は、トレーラ１４を用いて運搬されることができると考えられる。
【００３２】
図６は、クレート２の別の実施形態のスタックを示す。卵トレー１８は、クレート２とともに組立体で示されている。ここでは、クレート２及び卵トレー１８の２つの組立体のスタックが描写されている。クレート２には、鶏を孵化させる及び飼育するための鶏収容空間２２が設けられている。クレート２は、このクレート２の両側にトラフ６を備える。ここでは別個の、卵トレー１８は、クレート２の上に配置される。クレート２は、鶏が通路２１を通って鶏収容空間２２に入り得るように、開口頂部を有する。トレー１８には、複数の卵１９が含まれている。トレー１８は、複数の卵収容空間２０を備える。この空間２０では、卵１９は、これらの卵１９が被制御方法で孵化され得るように、しっかりと保持される。トレー１８は、鶏のための複数の通路２１を有し得、その通路２１を通って、卵１９から孵化した鶏は、トレー１８を通過し、トレー１８の下に位置している鶏収容空間２２に入り得る。
【００３３】
図６に示されているクレート２は、雛がクレート２の真上で孵化し、クレート２の内部２２に入る点で、図２−４のクレート２と使用法が異なる。したがって、人工気候室１の外側から内側への、孵化したばかりの雛の移動のステップは必要とされない。代わりに、卵は、人工気候室１の内側へと移動させられる。
【００３４】
図７−１０では、図２又は６のクレートで使用するためのトラフの異なる実施形態が示される。全てのトラフ６は、生き餌７を支持するための底部１２と、内側の側壁２７及び外側の側壁２８とを有する。ここでは、トラフ６は、壁要素２６によって細分化されている。全てのトラフ６は、トラフ６に含まれている生き餌７を維持するための手段を備える。トラフ６は、説明するように、トラフ６に含まれている生き餌７を維持するための手段と種類が異なる。
図７は、トラフ６内に生き餌７を維持するための格子２３を示す。格子２３は、開口部２４と、この開口部２４間の肋材２５とを有する。例として、壁要素２６は、生き餌がトラフから抜け出るのを阻止する表面構造を有するトラフ内部表面４１を有する。表面構造は、概略的に描写されており、例えば、内部表面を加工するときに、即ち、内部表面を仕上げ（tooling）又は被覆する（coating）ことで、得ることができる。
図８は、トラフ６内に生き餌７を維持するためにそれぞれの傾斜部２９，３０が各々設けられている、対向する樋壁２７，２８を示す。これらの傾斜部２９，３０は、出口開口部４０を狭める。
図９は、トラフ６内に生き餌７を維持するためにそれぞれの傾斜部３２，３４が各々設けられている、対向する樋壁２７，２８を示す。これらの傾斜部３２，３４は、それぞれの突起部３１，３３が配置されている。
図１０は、トラフ６内に生き餌７を維持するために、トラフ６の内部から見てそれぞれの凹部（３６，３７）が各々設けられている、対向する樋壁２７，２８を示す。これらの凹部３６，３７は、それぞれの突起部３１，３３が配置されている。
図３Ａは、トラフ６内に生き餌７を維持するために、生き餌７を囲む食用エンクロージャ３８を破線で概略的に示す。
【００３５】
保護の範囲を制限するためではなく本発明のいくつかの実施形態を例示するために説明及び図面が含まれることも上記から明らかになるであろう。本開示を根拠として、保護の範囲内である及び本発明の本質内である、並びに、先行技術と本特許の開示との明確な組合せであるより多くの実施形態が当業者に明白になるであろう。
【図１】
2019502396.tif 000003
【図２】
2019502396.tif 000004
【図３Ａ】
2019502396.tif 000005
【図３Ｂ】
2019502396.tif 000006
【図４】
2019502396.tif 000007
【図５】
2019502396.tif 000008
【図６】
2019502396.tif 000009
【図７】
2019502396.tif 000010
【図８】
2019502396.tif 000011
【図９】
2019502396.tif 000012
【図１０】
2019502396.tif 000013
【国際調査報告】
2019502396.tif 000014
2019502396.tif 000015
2019502396.tif 000016